(57)【要約】【課題】簡単な操作で関連した別の画像を表示する。【解決手段】ＰＣにて全画像から１個の画像を選択して検索ボタンを左クリックすると、この画像に関連するランドマークがサーバに要求される。サーバは画像ＤＢを参照して画像が属するランドマークＩＤを確認し、このランドマークＩＤに対応するランドマーク名をランドマーク相関ＤＢから読み出して配信する。ＰＣはＬＣＤの画面上方部に画像を拡大表示し、その下方部に「その他のおすすめ遊園地」と題して「ＨＡＮＡやしき」，「ＴＯしま園」のランドマーク名を表示する。「ＨＡＮＡやしき」のボタンを左クリックすると、「ＨＡＮＡやしき」に属する画像がサーバに要求される。サーバはランドマークＤＢを参照して「ＨＡＮＡやしき」のランドマークＩＤを確認し、画像ＤＢからランドマークＩＤに属する全画像ファイルを読み出して配信する。ＰＣはランドマークＩＤに属する全画像をサムネイル表示する。【選択図】図５
2007257199.tif 000002
【特許請求の範囲】
【請求項１】
画像を表示部に表示する画像表示方法において、
地理上の位置情報をそれぞれの付帯情報として有する複数個の画像を所属するランドマークごとにグループ分けするとともに全てのランドマーク間に相関関係を設定し、前記表示部に表示された所定のランドマークに属する複数個の画像から特定の画像を選択して所定の操作を行なうことにより、前記特定の画像が属するランドマークとは別のランドマークまたは前記別のランドマークに属する画像が表示部に表示されることを特徴とする画像表示方法。
【請求項２】
画像を表示する表示部を備えた画像表示装置において、
地理上の位置情報をそれぞれの付帯情報として有する複数個の画像データからなる画像データベースと、
前記位置情報に基づいて決定され、前記画像データの画像が所属するランドマークからなるランドマークデータベースと、
前記ランドマークの各間に設定され、各ランドマーク同士の関連づけを示す相関関係データベースと、
前記ランドマークデータベースから１個のランドマークを選択することにより、このランドマークに属する複数個の画像を画像データベースから読み出して表示部に表示し、この複数個の画像から特定の画像を選択して所定の操作を行なうことにより、前記相関関係データベースを参照して前記特定の画像が属するランドマークに関連する別のランドマークまたは前記別のランドマークに属する画像を表示部に表示する制御部と
を設けたことを特徴とする画像表示装置。
【請求項３】
通信ネットワークを介して画像を配信するサーバと、前記画像をダウンロードして表示部に表示するクライアントとからなる画像表示システムにおいて、
前記サーバには、地理上の位置情報をそれぞれの付帯情報として有する複数個の画像データからなる画像データベースと、前記位置情報に基づいて決定され、前記画像データの画像が所属するランドマークからなるランドマークデータベースと、前記ランドマークの各間に設定され、各ランドマーク同士の関連づけを示す相関関係データベースと、前記クライアントからの要求に応じて、所定のランドマークに属する複数個の画像を画像データベースから読み出して送信するとともに、前記クライアントにて前記複数個の画像から特定の画像が選択され所定の操作が行なわれることにより、前記相関関係データベースを参照して前記特定の画像が属するランドマークに関連する別のランドマークまたは前記別のランドマークに属する画像を送信するサーバ制御部とが設けられており、
前記クライアントには、所定のランドマークに属する複数個の画像を前記サーバからダウンロードして表示部に表示し、前記複数個の画像から特定の画像を選択して所定の操作を行なうことにより、前記特定の画像が属するランドマークに関連する別のランドマークまたは前記別のランドマークに属する画像を前記サーバからダウンロードして表示部に表示するクライアント制御部が設けられていることを特徴とする画像表示システム。
【発明の詳細な説明】
【技術分野】
【０００１】
本発明は、表示部に画像を表示する画像表示方法及び画像表示装置並びに画像表示システムに関するものである。
【背景技術】
【０００２】
液晶モニタなどの表示部に画像を表示する画像表示方法としては、検索用の画像を用いて旅行先の情報を検索する方法（例えば特許文献１）や、写真と文章により訪問先を容易に把握可能な旅行アルバムを作成する方法（例えば特許文献２）が知られている。
【０００３】
前記特許文献１記載の発明は、プランニングを行うにあたって利便性を向上するのに好適な旅行プランニングシステムを提供するために、プランニング端末は、複数の旅行先情報をそれぞれ異なる複数種の検索対象と対応付けて記憶したプランニングＤＢ（データベース）を備える。そして、与えられた検索キーをもとに、検索画像を用いて旅行先情報を検索する画像検索、検索ワードを用いて旅行先情報を検索するキーワード検索、およびおすすめ情報を用いて旅行先情報を検索するおすすめルート検索を、旅行希望者の選択により行うとともに、２回目以降の検索において、前回以前の検索結果を、画像検索、キーワード検索およびおすすめルート検索の検索キーとして利用する協同検索を行うものである。
【０００４】
また、前記特許文献２記載の発明は、旅行中に撮影された写真の画像データを収集し、旅行者の希望を反映し、写真と文章により訪問先を容易に把握可能な旅行アルバムを提供することを目的とし、複数の旅行者が参加する旅行中にデジタルカメラで撮影された写真の画像データをパーソナルコンピュータにより収集し、その画像データを各訪問先に関連付けて管理しつつ、インターネットを介して編集サーバに伝送する。編集サーバでは、収集された画像データの中から各旅行者に適合する旅行アルバムに必要な画像データを選択し、選択された画像データと訪問先に対応する文章データを編集素材としてデータベースから読み出し、訪問先毎に所定のレイアウトに従って電子的な編集処理を行い旅行アルバムデータを生成する。生成された旅行アルバムデータはインターネットを介して印刷製本装置に伝送され、所望の旅行アルバムが印刷製本されて各旅行者に提供される。
【特許文献１】特開２００２−２０３０１２号公報
【特許文献２】特開２００４−２５９００６号公報
【発明の開示】
【発明が解決しようとする課題】
【０００５】
ところで、例えばテーマパークを検索する際に、利用者が地域的に訪問可能な範囲で検索したい場合があり、ウェブブラウザなどにより現在も検索可能である。しかしながら、検索する際には、検索窓に地域名をタイプ入力するなどの面倒な操作を必要とする上に、検索結果として表示されるテーマパークには、捜しているものとは関連性が薄いものも数多く表示されるため、望むようなテーマパークを探すのに手間取るという欠点がある。
【０００６】
本発明は、上記のような問題点を解決するためになされたもので、きわめて簡単な操作で関連した別の画像を表示する画像表示方法及び画像表示装置並びに画像表示システムを提供することを目的とする。
【課題を解決するための手段】
【０００７】
本発明の画像表示方法は、画像を表示部に表示する画像表示方法において、地理上の位置情報をそれぞれの付帯情報として有する複数個の画像を所属するランドマークごとにグループ分けするとともに全てのランドマーク間に相関関係を設定し、前記表示部に表示された所定のランドマークに属する複数個の画像から特定の画像を選択して所定の操作を行なうことにより、前記特定の画像が属するランドマークとは別のランドマークまたは前記別のランドマークに属する画像が表示部に表示されることを特徴とする。
【０００８】
本発明の画像表示装置は、画像を表示する表示部を備えた画像表示装置において、地理上の位置情報をそれぞれの付帯情報として有する複数個の画像データからなる画像データベースと、前記位置情報に基づいて決定され、前記画像データの画像が所属するランドマークからなるランドマークデータベースと、前記ランドマークの各間に設定され、各ランドマーク同士の関連づけを示す相関関係データベースと、前記ランドマークデータベースから１個のランドマークを選択することにより、このランドマークに属する複数個の画像を画像データベースから読み出して表示部に表示し、この複数個の画像から特定の画像を選択して所定の操作を行なうことにより、前記相関関係データベースを参照して前記特定の画像が属するランドマークに関連する別のランドマークまたは前記別のランドマークに属する画像を表示部に表示する制御部とを設けたことを特徴とする。
【０００９】
本発明の画像表示システムは、通信ネットワークを介して画像を配信するサーバと、前記画像をダウンロードして表示部に表示するクライアントとからなる画像表示システムにおいて、前記サーバには、地理上の位置情報をそれぞれの付帯情報として有する複数個の画像データからなる画像データベースと、前記位置情報に基づいて決定され、前記画像データの画像が所属するランドマークからなるランドマークデータベースと、前記ランドマークの各間に設定され、各ランドマーク同士の関連づけを示す相関関係データベースと、前記クライアントからの要求に応じて、所定のランドマークに属する複数個の画像を画像データベースから読み出して送信するとともに、前記クライアントにて前記複数個の画像から特定の画像が選択され所定の操作が行なわれることにより、前記相関関係データベースを参照して前記特定の画像が属するランドマークに関連する別のランドマークまたは前記別のランドマークに属する画像を送信するサーバ制御部とが設けられており、前記クライアントには、所定のランドマークに属する複数個の画像を前記サーバからダウンロードして表示部に表示し、前記複数個の画像から特定の画像を選択して所定の操作を行なうことにより、前記特定の画像が属するランドマークに関連する別のランドマークまたは前記別のランドマークに属する画像を前記サーバからダウンロードして表示部に表示するクライアント制御部が設けられていることを特徴とする。
【発明の効果】
【００１０】
本発明によれば、地理上の位置情報をそれぞれの付帯情報として有する複数個の画像を所属するランドマークごとにグループ分けするとともに全てのランドマーク間に相関関係を設定し、表示部に表示された所定のランドマークに属する複数個の画像から特定の画像を選択して所定の操作を行なうことにより、特定の画像が属するランドマークとは別のランドマークまたは別のランドマークに属する画像が表示部に表示されるので、きわめて簡単な操作で関連した別の画像を表示することができる。したがって、次々と関連する画像を表示部に表示して、インターネットでのいわゆるネットサーフィンと同様に、画像サーフィンを楽しむことができる。
【発明を実施するための最良の形態】
【００１１】
図１において、本発明の画像表示システム１０は、クライアントとしてのパーソナルコンピュータ（以下ＰＣという）１１とサーバ１２とからなる。これらＰＣ１１とサーバ１２とは、インターネットなどの通信ネットワーク１６を介してデータ通信可能に接続される。
【００１２】
ここで、画像表示システム１０の概要を説明する。地理上の位置情報をそれぞれの付帯情報として有する複数個の画像を所属するランドマークごとにグループ分けするとともに全てのランドマーク間に相関関係を設定し、前記複数個の画像からなる画像データベース（以下画像ＤＢという）２７と、ランドマークからなるランドマークデータベース（以下ランドマークＤＢという）２８と、全てのランドマーク間の関連づけを示すランドマーク相関データベース（以下ランドマーク相関ＤＢという）２９とをサーバ１２に設けている。
【００１３】
なお、前記「ランドマーク」の本来の意味は「その土地の象徴となるような建物や記念碑」（広辞苑（商標）第五版）のことであるが、本実施形態では、個々の建物や記念碑ではなく、その土地の象徴的なアミューズメントパークの名称のこととしている。
【００１４】
前記ＰＣ１１は、所定のランドマークに属する複数個の画像をサーバ１２からダウンロードして液晶ディスプレイ（以下ＬＣＤという）１８に表示し、ここから任意の画像を選択して検索操作を行なうことにより、前記画像が属するランドマークに関連づけられた別のランドマークがサーバ１２からダウンロードされ、ＬＣＤ１８に表示される。前記別のランドマークをダブルクリックすると、前記別のランドマークに属する画像がサーバ１２からダウンロードされ、ＬＣＤ１８に表示される。
【００１５】
さらにこのＬＣＤ１８に表示された複数個の画像から任意の画像を選択して検索操作を行なうと、この画像が属するランドマークに関連づけられた別のランドマークがサーバ１２からダウンロードされ、ＬＣＤ１８に表示される。このようにして、直感的に分かりやすい簡単な操作で次々と関連する画像をＬＣＤ１８に表示して見ることができる。
【００１６】
前記サーバ１２は、ＣＰＵ２０，ＲＡＭ２１，ストレージ２２，通信インタフェース２３からなる。ストレージ２２には、周知のＯＳ（オペレーティングシステム）の他、サーバプログラム２５，前記画像ＤＢ２６，ランドマークＤＢ２７，ランドマーク相関ＤＢ２８が設けられている。
【００１７】
ＣＰＵ２０は、ストレージ２２からサーバプログラム２５をＲＡＭ２１にロードして、サーバプログラム２５を実行する。このサーバプログラム２５は、サーバ１２全体の動作を制御するが、特にＰＣ１１からのダウンロード要求を受け取った際には、前記ＤＢ２６〜２８から必要な画像ファイルなどを読み出してＰＣ１１宛に配信する。
【００１８】
前記画像ＤＢ２６は、図２に示すように、画像の「画像ファイル名」と、この画像の付帯情報としての位置情報である「ＧＰＳ情報」と、前記画像が属するランドマークのＩＤ番号である「ランドマークＩＤ」とから構成される。例えば、ランドマークである「Ｄランド」のジェットコースターを撮影した画像の画像ファイル名を「Ｄランドジェットコースター.jpg」とし、前記画像のＧＰＳ情報を、被写体であるＤランドのジェットコースターのＧＰＳ情報である「35°35′46.69″N，140°06′21.22″E」とし、この画像が属するランドマークである「Ｄランド」のランドマークＩＤを「１」とする。なお、他の画像についても同様の構成であるから、説明を省略する。
【００１９】
前記ＧＰＳ情報は、周知のように緯度と経度とで表わされ、前記「35°35′46.69″Ｎ，140°06′21.22″Ｅ」は、北緯（Ｎ）35°35′46.69″、東経（Ｅ）140°06′21.22″であることを表わす。
【００２０】
前記ランドマークＤＢ２７は、図３に示すように、ランドマークの名称である「ランドマーク名」と、ランドマークの「ＧＰＳ情報」と、前記画像が属するランドマークに固有のＩＤ番号である「ランドマークＩＤ」とから構成される。例えば、ランドマーク名「ＨＡＮＡやしき」のＧＰＳ情報は、ＨＡＮＡやしきの立設位置の座標であるＧＰＳ情報「35°40′63.03″Ｎ，139°47′09.76″Ｅ」とし、「ＨＡＮＡやしき」に固有のランドマークＩＤを「２」とする。なお、他の画像についても同様の構成であるから、説明を省略する。
【００２１】
前記ランドマーク相関ＤＢ２８は、図４に示すように、「ランドマーク名」と「参照先１」，「参照先２」から構成され、ランドマーク同士の関連づけを表わしている。例えば、「Ｄランド」には、参照先１，２として、同じ関東地方にあるおすすめの遊園地として「ＨＡＮＡやしき」，「ＴＯしま園」が関連づけられている。また、「ＨＡＮＡやしき」には、参照先１，２として、「ＴＯしま園」，「Ｄランド」が関連づけられている。他のランドマークについても同様に２個ずつ別のランドマークが関連づけられている。
【００２２】
前記ＰＣ１１は、図１に示すように、ＣＰＵ３０，ＲＡＭ３１，ハードディスク（以下ＨＤという）３２，通信インタフェース３３，ビデオ回路３４からなり、このビデオ回路３４にはＬＣＤ１８が接続されている。また、前記ＣＰＵ３０には、バス３６を介してマウス３７，キーボード３８が接続されている。
【００２３】
前記ＨＤ３２には、周知のＯＳ（オペレーティングシステム）の他、クライアントプログラム４０がインストールされている。ＣＰＵ３０は、ＨＤ３２からクライアントプログラム４０をＲＡＭ３１にロードして、クライアントプログラム４０を実行する。このクライアントプログラム４０は、サーバ１２からダウンロードした画像ファイルなどをバス３６，ビデオ回路３４を介してＬＣＤ１８に表示する。
【００２４】
このように構成された本実施形態の作用について、図５のフローチャート及び図６〜図８を参照しながら説明する。まず、ＰＣ１１を立ち上げてからクライアントプログラム４０を起動する（ｓｔ１）。起動されたクライアントプログラム４０により、ＣＰＵ３０は全画像のダウンロード要求を通信インターフェース３３を介してサーバ１２に出す（ｓｔ２）。
【００２５】
通信インターフェース２３を介してサーバ１２のＣＰＵ２０が全画像のダウンロード要求を受け取ると、サーバプログラム２５がＲＡＭ２１に読み込まれて起動される。続いて、ＣＰＵ２０は、ストレージ２２の画像ＤＢ２６から全ての画像ファイルを読み出してＰＣ１１に向けて配信する（ｓｔ３）。
【００２６】
ＰＣ１１のＣＰＵ３０は、全画像ファイルのダウンロードが完了すると（ｓｔ４）、図６に示すように、ＬＣＤ１８の画面に画像をサムネイル表示する。本実施形態では画像の数が多いので、右側の端部に周知の縦方向のスクロールバー４２が表示される。このスクロールバー４２のノブ４２ａをマウスカーソル４４で左クリックして上下方向に移動するか、矢印キー４２ｂ，４２ｃをマウスカーソル４４で左クリックすれば、画像画面領域４６が縦方向にスクロールして全ての画像を見ることができる（ｓｔ５）。
【００２７】
全ての画像から１個の画像４８を選択（マウスカーソル４４を画像４８に重ねてマウス３７を左クリック）してから、ＬＣＤ１８の画面に表示されている検索ボタン５０にマウスカーソル４４を重ねてマウス３７を左クリックする（ｓｔ６）か、画像４８をダブルクリックする。これにより、クライアントプログラム４０は、前記画像４８に関連するランドマークをサーバ１２に要求する（ｓｔ７）。
【００２８】
前記要求を受け取ったサーバ１２のＣＰＵ２０は、画像ＤＢ２６を参照して画像４８が属するランドマークのＩＤ（ランドマークＩＤ）を確認する。本実施形態では、前記画像４８はＤランドに属する画像であるから、画像４８のランドマークＩＤは「１」である。続いて、このランドマークＩＤ「１」に対応するランドマーク名（Ｄランド）に基づいてランドマーク相関ＤＢ２８を参照する（ｓｔ８）。これにより、「Ｄランド」の参照先１，２が「ＨＡＮＡやしき」，「ＴＯしま園」であることが分かるから、ＣＰＵ２０は、これらのランドマーク名（のデータ）を配信する（ｓｔ９）。
【００２９】
ＰＣ１１のＣＰＵ３０は、ランドマーク名（のデータ）のダウンロードが完了すると、図７に示すように、ＬＣＤ１８の画面の上方部に画像４８を拡大表示するとともに、その下方部に、画像４８に関連する「その他のおすすめ遊園地」と題して、「ＨＡＮＡやしき」，「ＴＯしま園」のランドマーク名が表示される（ｓｔ１０）。これらのランドマーク名は、例えば矩形状のボタン５１，５２上に表記される。
【００３０】
ユーザが「ＨＡＮＡやしき」のランドマーク名が表記されたボタン５１にマウスカーソル４４を重ねてマウス３７を左クリックすると（ｓｔ１１）、クライアントプログラム４０は、前記「ＨＡＮＡやしき」に所属する画像をサーバ１２に要求する（ｓｔ１２）。
【００３１】
前記要求を受け取ったサーバ１２のＣＰＵ２０は、ランドマークＤＢ２７を参照して「ＨＡＮＡやしき」のランドマークＩＤ「２」を確認した後、画像ＤＢ２６からランドマークＩＤ「２」に属する全ての画像ファイルを読み出して配信する（ｓｔ１３）。
【００３２】
ＰＣ１１のＣＰＵ３０は、前記画像ファイルのダウンロードが完了すると（ｓｔ１４）、図８に示すように、ＬＣＤ１８の画面にランドマークＩＤ「２」に属する全ての画像をサムネイル表示する（ｓｔ１５）。なお、この表示例では、ランドマークＩＤ「２」に属する全画像が１画面で表示可能であるから、前記スクロールバー４２は表示されない。
【００３３】
さらに、ユーザがＬＣＤ１８の画面に表示された画像から任意の画像５５を選択して検索ボタン５０を左クリックする（ｓｔ６）か、画像５５をダブルクリックすると、前記図７と同様に、画像５５が拡大表示されるとともに、画像５５に関連するおすすめの遊園地のランドマーク名が表示される（ｓｔ１０）。以下、上記と同様に、ステップ６（ｓｔ６）からステップ１５（ｓｔ１５）までのシーケンスを繰り返すことにより、次々と関連する画像をＬＣＤ１８の画面に表示させ、インターネットでのいわゆるネットサーフィンと同様に、画像サーフィンを楽しむことができるとともに、どの遊園地に行くかを決めるための参考とすることができる。
【００３４】
以上説明した実施形態では、インターネットなどの通信ネットワーク上のサーバに画像ＤＢ，ランドマークＤＢ，ランドマーク相関ＤＢを置き、サーバから関連するランドマークやランドマークに所属する画像をダウンロードしてＰＣのＬＣＤに表示させるようにしたが、本発明はこれに限定されることなく、ＰＣのハードディスク内に画像ＤＢ，ランドマークＤＢ，ランドマーク相関ＤＢを持たせ、スタンドアローンのＰＣ内で完結するようにしてもよい。
【００３５】
また、上記実施形態では、ランドマーク相関ＤＢにおいて１個のランドマークに対して参照先を２個ずつ設けたが、本発明はこれに限定されることなく、１個のランドマークに対して参照先を１個としてもよく、また３個以上としてもよい。
【００３６】
また、上記実施形態では、参照先の決め方（関連づけ）を「同じ関東地方にあるおすすめの遊園地」としたが、本発明はこれに限定されることなく、例えば、選ばれた特定のランドマークの場所（地理上の位置）から半径１km以内にあるランドマークなど、地理上の位置情報に基づいて設定されるものであれば任意の関連づけが可能である。
【００３７】
また、上記実施形態では、所定の画像を選択して検索した後に表示される画面例において、ランドマーク名を矩形状のボタン上に表記したが、本発明はこれに限定されることなく、例えばランドマークの名前だけでもよく、また所定のランドマークを表すアイコンとしてもよい。
【図面の簡単な説明】
【００３８】
【図１】画像表示システムの電気構成を示すブロック図である。
【図２】画像ＤＢを示す説明図である。
【図３】ランドマークＤＢを示す説明図である。
【図４】ランドマーク相関ＤＢを示す説明図である。
【図５】画像表示システムの主なシーケンスを示すフローチャートである。
【図６】全ての画像が表示された画面例を示す説明図である。
【図７】選択された画像の拡大表示と関連するランドマークの表示の画面例を示す説明図である。
【図８】所定のランドマークに所属する画像群が表示された画面例を示す説明図である。
【符号の説明】
【００３９】
１０  画像表示システム
１１  ＰＣ
１２  サーバ
１６  通信ネットワーク
１８  ＬＣＤ
２０，３０  ＣＰＵ
２５  サーバプログラム
２６  画像ＤＢ
２７  ランドマークＤＢ
２８  ランドマーク相関ＤＢ
４０  クライアントプログラム
４８，５５  画像
５０  検索ボタン
５１，５２  ボタン
【図１】
2007257199.tif 000003
【図２】
2007257199.tif 000004
【図３】
2007257199.tif 000005
【図４】
2007257199.tif 000006
【図５】
2007257199.tif 000007
【図６】
2007257199.tif 000008
【図７】
2007257199.tif 000009
【図８】
2007257199.tif 000010